(57)【要約】【課題】  記録開始時において、目標記録パワーに対するレーザ駆動電圧の初期値を短時間で正確に求めることができる光ディスク記録装置及びレーザ駆動電圧の初期値算出プログラムを提供する。【解決手段】  光ディスク記録装置は、光ディスクの試し書き領域にテスト記録を行って、レーザ駆動電圧の初期値決定用のデータを取得し、これらのデータに基づいて算出したレーザ駆動電圧と記録パワーとの関係式を用いて目標記録パワーにおけるレーザ駆動電圧の初期値を得る。したがって、データ記録時と同じ条件で得たデータに基づく関係式を用いるので、レーザ駆動電圧の正確な値を得ることができる。また、関係式を求めるデータを取得するために、光ディスクの試し書き領域にデータを記録するので、従来の光ディスク記録装置のようにフォーカスサーボをオフにせずに、レーザ駆動電圧の初期値を短時間で算出することができる。【選択図】  図４
2005251334.tif 000002
【特許請求の範囲】
【請求項１】
レーザ光の記録パワーを測定するモニタ手段と、
レーザ駆動電圧に応じた記録パワーのレーザ光をレーザダイオードから光ディスクへ照射させて、この光ディスクにテスト記録を行いながら前記レーザ光の記録パワーを前記モニタ手段で測定し、記録パワーが設定された目標値となるようにレーザ駆動電圧を制御するレーザ制御手段と、
前記テスト記録時の記録パワーが前記目標値であるときのレーザ駆動電圧を測定する電圧測定手段と、
前記目標値と前記目標値であるときのレーザ駆動電圧とから、前記レーザ制御手段に設定する光ディスクに記録を行う際の記録目標値となる記録パワーに対応するレーザ駆動電圧の初期値を演算する演算手段と、
前記レーザ制御手段に前記初期値を設定して記録を開始させ、前記レーザ制御手段に該記録目標値を設定してレーザ光の記録パワーが該記録目標値となるように制御させる制御手段と、
を有する光ディスク記録装置。
【請求項２】
前記記録パワーの目標値を少なくとも２つ、及び前記記録パワーに対応するレーザ駆動電圧の初期値を記憶する記憶手段を備え、
前記電圧測定手段は、前記記憶手段が記憶する各目標値であるときのレーザ駆動電圧を測定し、
前記演算手段は、前記各目標値と、各目標値に対応するレーザ駆動電圧と、に基づいて関係式を算出し、この関係式を用いて前記記録パワーに対応するレーザ駆動電圧値を算出する請求項１に記載の光ディスク記録装置。
【請求項３】
前記初期値は、光ディスクに試し書き記録を開始する際に前記レーザダイオードから光ディスクへレーザ光を照射させるときのレーザ駆動電圧の初期値である請求項１または２に記載の光ディスク記録装置。
【請求項４】
請求項１に記載の光ディスク記録装置に、
レーザ駆動電圧に応じた記録パワーのレーザ光を前記レーザダイオードから光ディスクへ照射させて、この光ディスクにテスト記録を行いながら前記レーザ光の記録パワーを前記モニタ手段で測定し、記録パワーが目標値となるようにレーザ駆動電圧を制御する手順、
前記テスト記録時の記録パワーが前記目標値であるときのレーザ駆動電圧を前記電圧測定手段に測定させて、前記目標値と前記電圧測定手段で測定したレーザ駆動電圧とから、光ディスクに記録を行う際の記録パワーに対応するレーザ駆動電圧の初期値を演算する手順、
前記レーザ制御手段に前記初期値を設定して記録を開始させ、前記レーザ制御手段に該記録目標値を設定してレーザ光の記録パワーが該記録目標値となるように制御する手順、
を実行させるためのプログラム。
【発明の詳細な説明】
【技術分野】
【０００１】
本発明は、記録開始時において、目標記録パワーに対するレーザ駆動電圧の初期値を短時間で正確に求めることができる光ディスク記録装置及びレーザ駆動電圧の初期値算出プログラムに関する。
【背景技術】
【０００２】
従来の光ディスク記録装置は、データの記録開始時に、レーザ記録パワーが目標記録パワーに到達するまでの時間を短縮するために、レーザ記録パワーとレーザ駆動電圧との関係式を求めて、この関係式に基づいてレーザ駆動電圧を設定して目標記録パワーのレーザ光を照射させていた。例えば、光ディスク記録装置は、予め設定した２つ以上の異なる記録パワーでレーザダイオードを点灯させて、そのときのレーザ駆動電圧を検出し、記録パワーとレーザ駆動電圧との関係式を求めて、データ記録の開始時には、この関係式に基づいて駆動電圧を設定することで、レーザの記録パワーを目標値に設定していた。
【０００３】
また、光ディスク記録装置には、記録パワーの設定時の制御結果をメモリに記憶させておき、次回の起動後にメモリから前回の記録パワーの制御結果データを読み出して、記録パワーの設定を行うレーザダイオードの制御回路を備えたものがあった（例えば、特許文献１参照。）。
【特許文献１】特開平０７−２７２３０５号公報（第４−８頁、第１−８図）
【発明の開示】
【発明が解決しようとする課題】
【０００４】
しかしながら、前記従来の光ディスク記録装置は、レーザを点灯させてレーザ駆動電圧を検出する際に、フォーカスサーボを強制的にオフにして光ディスクに記録を行わないようにしていた。そのため、ＯＰＣを開始する際にはフォーカスサーボを再度オンにしなければならず、ＯＰＣ開始までに余分な時間がかかってしまい、データ記録をすぐに開始できないという問題があった。
【０００５】
また、フォーカスサーボを強制的にオフ・オンさせる必要があるため、光ディスク記録装置のプログラムが複雑になるという問題があった。
【０００６】
さらに、光ディスク記録装置は、上記のようにフォーカスサーボをオフにして記録パワーとレーザ駆動電圧との関係式を求めているが、この関係式から得られた所定の記録パワーに対するレーザ駆動電圧が実際に記録したときの値とは異なっているという問題があった。
【０００７】
図７は、レーザダイオードの駆動電圧と記録パワーとの関係を表すグラフである。光ディスク記録装置では、光ディスクに対してフォーカスサーボをオンにしてレーザ光を照射した場合には、光ディスクからの反射光の一部がレーザダイオードにも戻ってくるので、レーザダイオードはその影響を受けて発光効率が変化する。一方、光ディスクに対してフォーカスサーボをオフにしてレーザ光を照射した場合には、光ディスクからの反射光はレーザダイオードへほとんど戻らないので、レーザダイオードはその影響を受けない。すなわち、図７に示すように、フォーカスサーボをオンにした戻り光がある場合と、フォーカスサーボをオフにした戻り光がない場合と、では、記録パワーＰｗにずれΔＰが発生するため、上記のような記録パワーが実際の値とは異なっている問題が発生していたのである。
【０００８】
そこで、本発明は、光ディスク記録装置の記録開始時において、目標記録パワーに対するレーザ駆動電圧の初期値を短時間で正確に求めることができるレーザ駆動電圧の初期値算出方法及びレーザ駆動電圧の初期値算出プログラムを提供することを目的とする。
【課題を解決するための手段】
【０００９】
この発明は、上記の課題を解決するための手段として、以下の構成を備えている。
【００１０】
（１）レーザ光の記録パワーを測定するモニタ手段と、
レーザ駆動電圧に応じた記録パワーのレーザ光をレーザダイオードから光ディスクへ照射させて、この光ディスクにテスト記録を行いながら前記レーザ光の記録パワーを前記モニタ手段で測定し、記録パワーが設定された目標値となるようにレーザ駆動電圧を制御するレーザ制御手段と、
前記テスト記録時の記録パワーが前記目標値であるときのレーザ駆動電圧を測定する電圧測定手段と、
前記目標値と前記目標値であるときのレーザ駆動電圧とから、前記レーザ制御手段に設定する光ディスクに記録を行う際の記録目標値となる記録パワーに対応するレーザ駆動電圧の初期値を演算する演算手段と、
前記レーザ制御手段に前記初期値を設定して記録を開始させ、前記レーザ制御手段に該記録目標値を設定してレーザ光の記録パワーが該記録目標値となるように制御させる制御手段と、
を有することを特徴とする。
【００１１】
この構成においては、光ディスクにテスト記録を行って記録パワーとレーザ駆動電圧との関係を予め求めておき、この関係に基づいて目標とする記録パワーで記録を行うためのレーザ駆動電圧の初期値（記録目標値）を算出する。したがって、従来の方法では、記録手段のフォーカスをオフにして光ディスクに記録を行わずにレーザ駆動電圧の初期値を求めていたため、実際の記録パワーと異なる記録パワーで光ディスクに記録を行ってしまうこととなり、光ディスクに記録を行う際に記録パワーの目標値の再調整が必要であったが、本発明ではこのような問題が発生しない。すなわち、データ記録時と同じ条件で光ディスクに記録を行い、データに基づく関係式を用いてレーザ駆動電圧の初期値を算出するので、記録を開始すると直ちに目標記録パワーで記録を行うことができる。また、上記のように、フォーカスサーボをオフにすることなく光ディスクにデータを記録してレーザ駆動電圧を測定するので、フォーカスの調整のために時間をかけることなく、レーザ駆動電圧の初期値を短時間で算出して、すぐに記録を開始することができる。
【００１２】
（２）前記記録パワーの目標値を少なくとも２つ、及び前記記録パワーに対応するレーザ駆動電圧の初期値を記憶する記憶手段を備え、
前記電圧測定手段は、前記記憶手段が記憶する各目標値であるときのレーザ駆動電圧を測定し、
前記演算手段は、前記各目標値と、各目標値に対応するレーザ駆動電圧と、に基づいて関係式を算出し、この関係式を用いて前記記録パワーに対応するレーザ駆動電圧値を算出することを特徴とする。
【００１３】
この構成においては、光ディスク記録装置は、記憶手段が記憶する少なくとも２つの記録パワーの目標値におけるレーザ駆動電圧を測定して、記録パワーの目標値とレーザ駆動電圧との関係式を算出する。そして、この関係式に記録パワーの初期値を代入して、この初期値のときのレーザ駆動電圧を算出する。したがって、光ディスクに記録を開始するときに、算出したレーザ駆動電圧をレーザ駆動電圧値に設定することで、すぐに所望のレーザパワーのレーザ光で光ディスクに記録を行うことができる。
【００１４】
（３）前記初期値は、光ディスクに試し書き記録を開始する際に前記レーザダイオードから光ディスクへレーザ光を照射させるときのレーザ駆動電圧の初期値であることを特徴とする。
【００１５】
この構成においては、光ディスク記録装置は、光ディスクに試し書き記録を開始する際に前記レーザダイオードから光ディスクへレーザ光を照射させるときの記録パワーが初期値として設定されているので、レーザ駆動電圧の初期値を短時間で算出して、すぐにＯＰＣ記録を開始することができる。
【００１６】
（４）（１）に記載の光ディスク記録装置に、
レーザ駆動電圧に応じた記録パワーのレーザ光を前記レーザダイオードから光ディスクへ照射させて、この光ディスクにテスト記録を行いながら前記レーザ光の記録パワーを前記モニタ手段で測定し、記録パワーが目標値となるようにレーザ駆動電圧を制御する手順、
前記テスト記録時の記録パワーが前記目標値であるときのレーザ駆動電圧を前記電圧測定手段に測定させて、前記目標値と前記電圧測定手段で測定したレーザ駆動電圧とから、光ディスクに記録を行う際の記録パワーに対応するレーザ駆動電圧の初期値を演算する手順、
前記レーザ制御手段に前記初期値を設定して記録を開始させ、前記レーザ制御手段に該記録目標値を設定してレーザ光の記録パワーが該記録目標値となるように制御する手順、
を実行させることを特徴とする。
【００１７】
この構成においては、（１）と同様の効果を得ることができる。
【発明の効果】
【００１８】
本発明によれば、光ディスクの試し書き領域（ＯＰＣ領域）に２つ以上の異なる記録パワーでレーザ光を照射して、レーザダイオードの駆動電圧と記録パワーとの関係式を求めて、目標記録パワーに対する駆動電圧の初期値の正確な値を算出することができる。これにより、記録パワーのずれが発生したり、記録までの時間をロスしたりするといったフォーカスサーボをオフにすることによる弊害がなく、この関係式に基づいてＯＰＣ記録パワーを正確な値にすぐに設定することができる。
【発明を実施するための最良の形態】
【００１９】
本発明は、ＣＤ系の記録型光ディスクであるＣＤ−Ｒ，ＣＤ−ＲＷや、ＤＶＤ系の記録型光ディスクであるＤＶＤ−Ｒ，ＤＶＤ＋Ｒ，ＤＶＤ−ＲＷ，ＤＶＤ＋ＲＷ，ＤＶＤ−ＲＡＭなど記録型光ディスク全般に適用できるが、以下の説明では、ＣＤ−Ｒを例に挙げて説明する。
【００２０】
図１は、本発明の実施形態に係る光ディスク記録装置の概略構成を示したブロック図である。図１に示すように、光ディスク記録装置１は、スレッドモータ８、ガイドレール９、光ピックアップ１０、スピンドルモータ１１、ＲＦアンプ１２、サーボ回路１３、アドレス検出回路１４、デコーダ１５、制御部１６、エンコーダ１７、ストラテジ回路１８、レーザドライバ１９、レーザパワー制御回路２０、周波数発生器２１、レーザ駆動電圧ＡＤ変換回路２２、再生信号品位検出回路２４、記憶部２５、及び操作部２６を備えている。また、光ディスク記録装置１は、ホストコンピュータ５に接続されている。
【００２１】
スレッドモータ８は、光ピックアップ１０を光ディスクＤの半径方向に移動させるための駆動力を供給するモータである。ガイドレール９は、光ピックアップ１０が光ディスクの半径方向に移動するように、光ピックアップ１０を支持する。
【００２２】
光ピックアップ１０は、不図示のレーザダイオード１０ａ、レーザダイオード１０ａのパワーモニタであるフロントモニタ１０ｂ、戻り光（反射光）受光素子であるフォトディテクタ（ＰＤ）、レンズ及びミラーなどの光学系、フォーカスサーボ・トラッキングサーボの各サーボ機構などを備えている。また、光ピックアップ１０は、データの記録及び再生時には光ディスクＤに対してレーザ光を照射して、光ディスクＤからの戻り光を受光して受光信号であるＥＦＭ（Eight to Fourteen Modulation）変調されたＲＦ信号をＲＦアンプ１２に出力する。なお、レーザダイオード１０ａからレーザ光が出射されると、出射されたレーザ光の一部は図外のビームスプリッタによって分光され、フロントモニタ１０ｂによってレーザ光のパワーに応じた電圧に変換され、レーザパワー制御回路２０へ供給されるようになっている。
【００２３】
スピンドルモータ１１は、データを記録するメディアである光ディスクＤを回転駆動するモータである。また、スピンドルモータ１１の回転軸先端部には、光ディスクを保持（チャッキング）するためのターンテーブルなどからなる図外の光ディスク保持機構が設けられている。周波数発生器２１は、スピンドルモータ１１が出力した光ディスクＤの相対位置信号を検出して、光ディスクＤの回転角度や回転数を検出するための信号をサーボ回路１３に出力する。
【００２４】
ＲＦアンプ１２は、光ピックアップ１０から出力されるＥＦＭ変調されたＲＦ信号を増幅して、増幅後のＲＦ信号をサーボ回路１３、アドレス検出回路１４、記録品位検出回路２４、及びデコーダ１５に出力する。
【００２５】
デコーダ１５は、ＲＦアンプ１２から供給されるＥＦＭ変調されたＲＦ信号をＥＦＭ復調して再生データを生成し、ホストコンピュータ５及び制御部１６へ出力する。
【００２６】
アドレス検出回路１４は、ＲＦアンプ１２から供給されたＲＦ信号からウォブル信号成分を抽出し、各信号成分に含まれる時間情報（アドレス情報）など各種の情報を復号し、制御部１６に出力する。
【００２７】
再生信号品位検出回路２４は、光ディスクＤのテスト記録領域を再生しているときに、ＲＦアンプ１２から供給されるＲＦ信号から再生信号品位に関するパラメータであるβを算出し、算出結果を制御部１６に出力する。
【００２８】
サーボ回路１３は、スピンドルモータ１１の回転制御、光ピックアップ１０のフォーカス制御・トラッキング制御、及びスレッドモータ８による光ピックアップ１０の送り制御を行う。
【００２９】
エンコーダ１７は、ホストコンピュータ５から出力された記録データや制御部１６から出力されたランダムパターンデータをＥＦＭ変調し、ストラテジ回路１８へ出力する。
【００３０】
ストラテジ回路１８は、エンコーダ１７から出力されたＲＦ信号に対して時間軸補正処理などを行いレーザドライバ１９へ出力する。
【００３１】
レーザドライバ１９は、制御部１６からライトゲート信号ＷＧが出力されている時、すなわち記録時には、ストラテジ回路１８から供給される記録データに応じて変調された信号と、レーザパワー制御回路２０の制御信号と、に従って光ピックアップ１０のレーザダイオード１０ａを駆動する。
【００３２】
レーザパワー制御回路２０は、光ピックアップ１０のレーザダイオード１０ａから照射されるレーザ光のパワーを制御する。具体的には、レーザパワー制御回路２０は、光ピックアップ１０のフロントモニタ１０ｂから出力される電流値を検出系回路２０ａで電圧値に変換する。そしてこのレーザ光のパワーに応じた電圧値と、制御部１６から出力されるレーザパワーの目標値（電圧値）と、に基づいて、最適なレーザパワーのレーザ光が光ピックアップ１０から照射されるように、レーザドライバ１９を制御する。
【００３３】
レーザ駆動電圧Ａ／Ｄ変換回路２２は、レーザパワー制御回路２０がレーザドライバ１９に設定するレーザ駆動電圧のアナログ値をディジタル値に変換して制御部１６へ出力する。
【００３４】
制御部１６は、図示していないＣＰＵ、ＲＯＭ、及びＲＡＭ等から構成されており、ＲＯＭに格納されたプログラムに従って光ディスク記録装置１の各部を制御する。制御部１６は、上述したようにデータの本記録に先立ち、光ディスク記録装置１にセットされた光ディスクＤの所定の領域に対し、テスト記録を行うように装置の各部を制御する。また、制御部１６は、ＯＰＣを行う際にはエンコーダ１７やレーザパワー制御回路２０へＯＰＣライト信号やＯＰＣ記録パワー切り替えタイミング信号を出力する。
【００３５】
記憶部２５は、実験などを行って予め求めたデータや、光ディスク記録装置１のファームウェアなどを記憶する。操作部２６は、ユーザが行った光ディスク記録装置１の各種制御や操作を受け付ける。
【００３６】
次に、レーザパワー制御回路２０の具体的な構成について説明する。図２は、レーザパワーを制御するための具体的な構成を示すブロック図である。図３は、記録パワー設定時のレーザ駆動電圧の変化を示すグラフである。
【００３７】
図２（Ａ）に示すように、レーザパワー制御回路２０は、ＤＡＣ（Digital-to-Analog Converter ）３１、レーザパワー検出回路３２、抵抗３３、スイッチ３４、スイッチ３５、帰還抵抗３６、コンデンサ３７、差動増幅器３８を備えている。光ピックアップ１０は、前記のように、レーザダイオード１０ａと、フロントモニタ１０ｂと、を備えている。
【００３８】
ＤＡＣ３１は、制御部１６から出力されたディジタル電圧値をアナログ電圧値に変換して差動増幅器３８の＋入力端子に出力する。なお、ディジタル電圧値とは、レーザ駆動電圧の初期値や記録パワーの目標値などになる値である。フロントモニタ１０ｂは、レーザダイオード１０ａが出射したレーザ光のパワーを検出して、そのレーザパワーに応じた電圧を出力し、レーザパワー検出回路３２は、フロントモニタ１０ｂが出力した電圧の安定化などの処理を行って、フロントモニタ１０ｂが出力した電圧値に応じた電圧を出力する。スイッチ３４、スイッチ３５は、制御部１６から出力されるライトゲート信号ＷＧに応じて開閉する。制御部１６がライトゲート信号ＷＧを出力していないときには、スイッチ３４はオフ（開放）状態であり、スイッチ３５はオン（閉成）状態である。また、制御部１６がライトゲート信号ＷＧを出力しているときには、スイッチ３４はオン（閉成）状態であり、スイッチ３５はオフ（開放）状態である。帰還抵抗３６は、差動増幅器３８の出力端子電圧を差動増幅器３８の−入力端子に帰還する。コンデンサ３７は、差動増幅器３８の出力を安定させる。差動増幅器３８は、ＤＡＣ３１が出力した電圧値に応じてレーザダイオード１０ａのレーザパワーが一定になるように、フロントモニタ１０ｂで検出したレーザパワーに基づいてレーザ駆動電圧を変化させる。
【００３９】
次に、光ディスク記録装置１で記録開始時におけるレーザ駆動電圧の初期値を算出するための動作について説明する。本発明の光ディスク記録装置１では、制御部１６が、光ディスク記録装置１の記録開始時におけるレーザ駆動電圧の初期値を算出するために、レーザ光をレーザダイオード１０ａから出射させて光ディスクのＯＰＣ領域（試し書き領域）に記録パワーを異ならせて少なくとも２回記録を行い、このときのレーザ駆動電圧をそれぞれ測定する。そして、測定したレーザ駆動電圧と、光ディスクに記録を行ったときの記録パワーと、に基づいて、レーザ駆動電圧と記録パワーとの関係式を算出し、この関係式を用いて目標記録パワーにおけるレーザ駆動電圧の初期値となるディジタル電圧値を算出する。
【００４０】
なお、以下の説明では、制御部１６がレーザダイオード１０ａにレーザ光の記録パワーを異ならせて出射させて関係式を算出する場合について説明するが、本発明はこれに限るものではなく、記録パワーを異ならせて３回以上記録を行い、このときのレーザ駆動電圧をそれぞれ測定して、各レーザ駆動電圧と各記録パワーとから関係式を算出すると良い。これにより、レーザ駆動電圧と各記録パワーとの関係式の精度をさらに向上するので、目標記録パワーにおけるレーザ駆動電圧の初期値の精度を向上させることができる。
【００４１】
また、レーザダイオード１０ａの２つの異なる記録パワーは、光ディスクに対してＯＰＣ記録を行うときの上限値またはそれよりも少し小さな値と、下限値またはそれよりも少し大きな値と、に設定すると良い。これにより、レーザダイオード１０ａが出射するレーザ光の出力範囲を限定できるので、レーザ駆動電圧と記録パワーとの関係式の精度が向上し、目標記録パワーにおけるレーザ駆動電圧の初期値の精度を向上させることができる。
【００４２】
制御部１６は、光ディスクに対して記録を行っていないときには、ライトゲート信号ＷＧを出力しておらず、このとき、スイッチ３４はオフ状態でスイッチ３５はオン状態になり、レーザドライバ１９はレーザダイオード１０ａの駆動を停止した状態になる。また、制御部１６は、ＤＡＣ３１に対してレーザ駆動電圧の仮の初期値ｔ＿ｗｄａｃとなるディジタル電圧値を出力する。そのため、レーザパワー制御回路２０は図２（Ｂ）に示すような回路構成となる。すなわち、差動増幅器３８はバッファとして機能し、制御部１６はレーザパワー制御回路２０に対してレーザ駆動電圧の初期値ｔ＿ｗｄａｃとなるディジタル電圧値を出力しており、レーザパワー制御回路２０は、この仮の初期値をレーザドライバ１９へ入力し、レーザドライバ１９はライトゲート信号ＷＧが出力されるまで待機状態となっている。したがって、図３に示すように、ライトゲート信号ＷＧがオフの場合には、差動増幅器３８の出力電圧は、レーザ駆動電圧の初期値ｔ＿ｗｄａｃになる。
【００４３】
なお、レーザ駆動電圧の仮の初期値ｔ＿ｗｄａｃは、それほど厳密に設定する必要がなく、また０であっても良いが、ライトゲート信号ＷＧを出力後にレーザ駆動電圧を大きく変化させると、レーザ光の記録パワーが安定するまでに時間がかかる。そのため、ライトゲート信号ＷＧを出力後に短時間でレーザパワーを目標値に到達させるように、仮のレーザ駆動電圧をＤＡＣ３１に設定しておくと良い。これにより、レーザパワー制御回路２０を図２（Ｂ）に示した回路構成にしたこととあいまって、短時間でレーザパワーを目標値まで到達させることができる。
【００４４】
制御部１６は、光ディスクに対して記録を開始すると、ライトゲート信号ＷＧを出力し、このとき、スイッチ３４はオン状態でスイッチ３５はオフ状態になり、また、レーザドライバ１９はレーザダイオード１０ａの記録系の駆動を開始する。さらに、制御部１６は、ＤＡＣ３１に対してレーザパワーの目標値となるディジタル電圧値を出力する。そのため、レーザパワー制御回路２０は、図２（Ｃ）に示すような回路構成となる。すなわち、差動増幅器３８が、ＤＡＣ３１から出力されたレーザパワーの目標値（駆動電圧値）ｗｄａｃと、フロントモニタ１０ｂが検出したレーザダイオード１０ａの記録パワーに応じた電圧値と、を比較して、その差が無くなるように帰還動作を行う。このとき、コンデンサ３７が充電されて帰還動作が安定するまで通常数十μ秒かかり、図３に示すように、レーザ駆動電圧の仮の初期値が低めであった場合には、駆動電圧ｗｄａｃがＣＡＳＥ１のように仮の目標値ｔ＿ｗｄａｃよりも高い値で安定する。また、レーザ駆動電圧の仮の初期値が適切であった場合には、駆動電圧ｗｄａｃがＣＡＳＥ２のように仮の目標値ｔ＿ｗｄａｃとほぼ同じ値で安定する。さらに、レーザ駆動電圧の仮の初期値が高めであった場合には、駆動電圧ｗｄａｃがＣＡＳＥ３のように仮の目標値ｔ＿ｗｄａｃよりも低い値で安定する。
【００４５】
なお、制御部１６がライトゲート信号ＷＧを出力してからレーザ駆動電圧が安定するまでの時間は通常１００μ秒以下である。
【００４６】
レーザ駆動電圧Ａ／Ｄ変換回路２２は、レーザ駆動電圧が目標パワーに安定すると、このときのレーザ駆動電圧を測定して制御部１６へ出力する。制御部１６は、この値を記憶部２５に記憶させる。
【００４７】
光ディスク記録装置１では、目標パワーを異なる値に変更して、このような動作を少なくとも２回繰り返す。さらに、制御部１６は、各レーザ駆動電圧と各記録パワーとに基づいて、レーザ駆動電圧と記録パワーとの関係式を求める。そして、ＯＰＣを開始する際などに、この関係式に基づいて記録パワーの目標値に対するレーザ駆動電圧の初期値となるディジタル電圧値（記録目標値）を算出し、このレーザ駆動電圧に応じてレーザダイオードを駆動して、光ディスクＤのＯＰＣ領域にテスト記録（試し書き）を行う。このときのレーザダイオード１０ａを駆動する電圧は、光ディスクに記録を行って得たデータに基づいた関係式により求めているので、従来の装置のようにずれが発生せず正しい値となるので、値を変更することがなく、短時間でＯＰＣを終了することができる。
【００４８】
次に、光ディスク記録装置１のレーザ駆動電圧の初期値を算出する方法について、フローチャートに基づいて説明する。図４は、光ディスク記録装置におけるレーザ駆動電圧の初期値を算出する方法を説明するためのフローチャートである。図５は、レーザ記録パワーに対する駆動電圧を測定する際の各値の変化の様子を示すグラフである。図６は、本発明の手法によって最終的に得られるレーザダイオードの記録パワーと駆動電圧との関係を表すグラフである。なお、図５には、仮の初期値ｔ＿ｗｄａｃｎｔｈが駆動電圧ｗｄａｃｎｔｈよりも低い場合を示している。また、以下の説明では、光ディスク記録装置１の制御部１６は、レーザダイオード１０ａの２つの異なる記録パワーは、光ディスクＤに対して記録を行うときの下限値よりも少し大きな記録パワーＰ１で光ディスクＤに記録したときのレーザ駆動電圧ｗｄａｃ１ｓｔと、上限値よりも少し小さな記録パワーＰ２で光ディスクＤに記録したときのレーザ駆動電圧ｗｄａｃ２ｎｄと、を測定してレーザ駆動電圧と記録パワーとの関係式を求める。また、図５に示すように、制御部１６は、ｔ１≦ｔ＜ｔ２、ｔ３≦ｔ＜ｔ４のときにライトゲート信号ＷＧを出力する。
【００４９】
光ディスク記録装置１の制御部１６は、ユーザが操作部２６に光ディスクＤ（ＣＤ−Ｒ）にデータを記録する操作を行ったことを検出すると（ｓ１）、記憶部２５からレーザ駆動電圧の初期値を算出するためのプログラム（ファームウェア）を記憶部２５から読み出して、このプログラムに基づいて以下に説明する処理を実行する。
【００５０】
ここで、制御部１６は、レーザ駆動電圧の初期値を算出するためのデータ取得処理を行う度にカウントアップする図外のカウンタを備えている。このカウンタは、初期値がｎ＝１に設定されており、レーザ駆動電圧の目標値を測定するカウントアップし、記録パワーの目標値の初期値算出が完了するとリセットされる。
【００５１】
（ｔ０≦ｔ＜ｔ１）
制御部１６は、カウンタの値がｎ＝１の場合（ｓ２）、記憶部２５から第１仮初期値（ｔ＿ｗｄａｃ１ｓｔ）となるディジタル電圧値を読み出して、レーザ駆動電圧の初期値として、レーザパワー制御回路２０のＤＡＣ３１へ出力する（ｓ３）。また、制御部１６は、サーボ回路１３に制御信号を出力する。サーボ回路１３は、スピンドルモータ１１の駆動を開始して光ディスクＤを所定の速度で回転させるとともに、スレッドモータ８を駆動して、光ピックアップ１０を移動させて、光ディスクＤのＯＰＣ領域に対向する位置に移動させる（ｓ４）。
【００５２】
（ｔ１≦ｔ＜ｔ２）
続いて、制御部１６は、レーザパワー制御回路２０のＤＡＣ３１に第１目標値となるディジタル電圧値を出力するとともに、ライトゲート信号ＷＧを出力してレーザドライバ１９にレーザダイオード１０ａを駆動させて光ディスクＤのＯＰＣ領域に記録パワーＰ１のレーザ光を照射して記録を開始する。このとき、制御部１６は、サーボ回路１３へ制御信号を出力して光ピックアップ１０のフォーカスサーボをオンにしている（ｓ５）。制御部１６は、レーザ駆動電圧Ａ／Ｄ変換回路２２の出力を監視し、レーザ駆動電圧が安定すると（ｓ６）、このときのレーザ駆動電圧をレーザ駆動電圧の第１初期値ｗｄａｃ１ｓｔとなるディジタル電圧値として記録パワーＰ１と関連づけて記憶部２５に記憶させる（ｓ７）。
【００５３】
制御部１６は、ライトゲート信号ＷＧを停止して、光ディスクＤのＯＰＣ領域への記録を停止する（ｓ８）。また、制御部１６は、図外のカウンタの値を１増分してｎ＝２とし（ｓ９）、ｎが２よりも大きくなっているか否かを判定する（ｓ１０）。
【００５４】
（ｔ２≦ｔ＜ｔ３）
光ディスク記録装置１の制御部１６は、レーザ駆動電圧の第２初期値ｗｄａｃ２ｎｄを得るために、ステップｓ３〜ステップｓ１０の処理を実行する。すなわち、制御部１６は、記憶部２５から第２仮初期値（ｔ＿ｗｄａｃ２ｎｄ）となるディジタル電圧値を読み出して、レーザ駆動電圧の初期値として、レーザパワー制御回路２０のＤＡＣ３１へ出力する（ｓ３）。また、制御部１６は、引き続きサーボ回路１３に制御信号を出力し、サーボ回路１３は、スピンドルモータ１１の駆動を開始して光ディスクＤを所定の速度で回転させるとともに、スレッドモータ８を駆動して光ピックアップ１０を移動させて、光ディスクＤのＯＰＣ領域の先に記録した部分の終端に対向する位置に移動させる（ｓ４）。
【００５５】
（ｔ３≦ｔ＜ｔ４）
続いて、制御部１６は、レーザパワー制御回路２０のＤＡＣ３１に第２目標値となるディジタル電圧値を出力するとともに、ライトゲート信号ＷＧを出力してレーザドライバ１９にレーザダイオード１０ａを駆動させて、ＯＰＣ領域の記録部分の終端部から記録パワーＰ２のレーザ光を照射して記録を開始する。このとき、制御部１６は、サーボ回路１３へ制御信号を出力して光ピックアップ１０のフォーカスサーボをオンにしている（ｓ５）。制御部１６は、レーザ駆動電圧Ａ／Ｄ変換回路２２の出力を監視し、レーザ駆動電圧が安定すると（ｓ６）、このときのレーザ駆動電圧をレーザ駆動電圧の第２初期値ｗｄａｃ２ｎｄとなるディジタル電圧値として記録パワーＰ２と関連づけて記憶部２５に記憶させる（ｓ７）。
【００５６】
制御部１６は、ライトゲート信号ＷＧを停止して、光ディスクＤのＯＰＣ領域への記録を停止する（ｓ８）。また、制御部１６は、図外のカウンタの値を１増分してｎ＝３とし（ｓ９）、ｎが２よりも大きくなっているかを判定する（ｓ１０）。
【００５７】
（ｔ４≦ｔ）
制御部１６は、ｎ＞２の場合には、記憶部２５に記憶させたレーザ駆動電圧ｗｄａｃ１ｓｔ，ｗｄａｃ２ｎｄ、レーザ記録パワーＰ１，Ｐ２の各値を読み出して、レーザ駆動電圧とレーザ記録パワーとの関係式を算出する（ｓ１１）。この関係式は、例えば図６に示すように、一次関数（ｙ＝ａｘ＋ｂ）として表すことができるものとなる。
【００５８】
制御部１６は、この関係式を得ると、次に実行するＯＰＣ記録（試し書き）の目標記録パワーの値を記憶部２５から読み出す。そして、レーザ駆動電圧とレーザ記録パワーとの関係式から、この目標記録パワーのレーザ光を照射するためのレーザ駆動電圧の初期値（記録目標値）を算出する（ｓ１２）。そして、制御部１６は、ライトゲート信号ＷＧを出力するとともに、レーザパワー制御回路２０のＤＡＣ３１にステップｓ１２で算出したレーザ駆動電圧の初期値を出力して、ＯＰＣ記録を開始する（ｓ１３）。
【００５９】
以上のようにして、レーザ駆動電圧とレーザ記録パワーとの関係式で算出したレーザ駆動電圧の初期値を利用することで、初回記録の記録開始時にライトゲート信号ＷＧを出力した直後から適正な記録パワーで記録を行うことが可能となる。また、最近では、ＯＰＣ記録中に、レーザ駆動電圧の帰還処理を行わない場合があるが、このような場合でも本発明のレーザ駆動電圧初期値算出方法によって所定のレーザパワーの駆動電圧を求めておけば、短時間の記録中ならば、狙い通りの記録パワーで記録が可能となる。
【００６０】
なお、以上の説明では、レーザ駆動電圧とレーザ記録パワーとの関係式を求めるために、ＯＰＣ領域に記録を行った場合について説明したが、本発明はこれに限るものではなく光ディスクＤの記録領域に記録を行っても良い。例えば、光ディスクの記録容量よりもデータ量が少ない場合には、記録領域の最外周付近にはデータを記録せずに空き領域なるので、この記録領域の最外周付近にＯＰＣ記録を行う前のデータ記録を行うようにすると良い。また、データ記録に使用する光ディスクがＣＤ−ＲＷやＤＶＤ−ＲＷのように書換型の光ディスクの場合には、データ記録を行ってもその領域にデータを上書きすることができるので、データ記録領域の内周側にデータ記録を行うようにしても良い。
【図面の簡単な説明】
【００６１】
【図１】本発明の実施形態に係る光ディスク記録装置の概略構成を示したブロック図である。
【図２】レーザパワーを制御するための具体的な構成を示すブロック図である。
【図３】記録パワー設定時のレーザ駆動電圧の変化を示すグラフである。
【図４】光ディスク記録装置におけるレーザ駆動電圧の初期値を算出する方法を説明するためのフローチャートである。
【図５】レーザ記録パワーに対する駆動電圧を測定する際の各値の変化の様子を示すグラフである。
【図６】レーザダイオードの記録パワーと駆動電圧との関係を表すグラフである。
【図７】レーザダイオードの駆動電圧と記録パワーとの関係を表すグラフである。
【符号の説明】
【００６２】
１−光ディスク記録装置、１０−光ピックアップ、１０ａ−レーザダイオード、１０ｂ−フロントモニタ、１６−制御部、１９−レーザドライバ、２０−レーザパワー制御回路２０、２２−レーザ駆動電圧Ａ／Ｄ変換回路、３１−ＤＡＣ、３２−レーザパワー検出回路、３３−抵抗、３４−スイッチ、３５−スイッチ、３６−帰還抵抗、３７−コンデンサ、３８−差動増幅器
【図１】
2005251334.tif 000003
【図２】
2005251334.tif 000004
【図３】
2005251334.tif 000005
【図４】
2005251334.tif 000006
【図５】
2005251334.tif 000007
【図６】
2005251334.tif 000008
【図７】
2005251334.tif 000009